(57)【特許請求の範囲】
【請求項１】
ディスペンサーパッケージから１つ以上の製品を分配するための開口部を有するディスペンサーパッケージと、
前記パッケージの前記開口部をカバーし、前記パッケージから前記１つ以上の製品を分配するために開放可能な再閉鎖可能キャップを含む再密封可能キャップ組立体と、
前記ディスペンサーパッケージを固定するホルダであって、該ホルダは、外側周辺端縁を有する前壁を含み、前記前壁は、前記前壁の前記外側周辺端縁から内方向に間隔を置いて位置する前記前壁の内側周辺端縁により形成されているアパーチュアを含み、前記再密封可能キャップ組立体は、前記ディスペンサーパッケージを前記ホルダに固定するために前記前壁アパーチュアの前記内側周辺端縁と係合するホルダと
を含む組合せ体。
【請求項２】
前記再密封可能キャップ組立体は、前記ディスペンサーパッケージに取付けられたカラーを含み、該カラーは前記パッケージの前記開口部を包囲している請求項１に記載の組合せ体。
【請求項３】
前記再密封可能キャップ組立体は、前記カラーの上面に一体的に接続されている密封フランジを含み、前記再閉鎖可能キャップは前記密封フランジに取付けられている請求項２に記載の組合せ体。
【請求項４】
前記再閉鎖可能キャップを蝶番により前記密封フランジに固定して、前記再閉鎖可能キャップが開放位置と閉鎖位置との間で動けるようにしている請求項５に記載の組合せ体。
【請求項５】
前記カラーは、前記再密封可能キャップ組立体を前記ホルダに固定するために前記前壁アパーチュアと係合可能である１つ以上の周辺端縁を含む請求項２に記載の組合せ体。
【請求項６】
前記前壁アパーチュアの１つ以上の前記内側周辺端縁が、前記再密封可能キャップ組立体の一部分を捕捉できる少なくとも１つの溝を含み、これによって、前記再密封可能キャップ組立体を前記ホルダに固定できる請求項１に記載の組合せ体。
【請求項７】
前記カラーは、前記少なくとも１つの溝内にスライド可能な１つ以上の外側周辺端縁を含む請求項６に記載の組合せ体。
【請求項８】
前記ディスペンサーパッケージは、可撓性材料を使用して作られている請求項１に記載の組合せ体。
【請求項９】
前記ホルダに取付けられているクリップをさらに備えている請求項１に記載の組合せ体。
【請求項１０】
前記ホルダは、前記ホルダに固定されている前記ディスペンサーパッケージのうちの１つを選択的に加熱する加熱装置に接続されている請求項１に記載の組合せ体。
【請求項１１】
前記加熱装置を含む基底部をさらに備え、前記ホルダは前記基底部に取付けられている請求項１０に記載の組合せ体。
【請求項１２】
前記前壁アパーチュアの前記内側周辺端縁のうちの少なくとも１つとつながっており、第１の位置と第２の位置との間で可動である少なくとも１つのアクチュエータをさらに備えている請求項１に記載の組合せ体。
【請求項１３】
前記再密封可能キャップ組立体を前記ホルダに固定するときに、前記再密封可能キャップ組立体の外側周辺表面が前記１つ以上のアクチュエータエレメントと係合する請求項１２に記載の組合せ体。
【請求項１４】
前記前壁を蝶番により前記ホルダに接続して、前記前壁が開放位置と閉鎖位置との間で可動であるようにしている請求項１に記載の組合せ体。
【請求項１５】
上端と下端とを有し、外側周辺端縁を有する前壁と、
上端と下端とを有する後壁と、
前記前壁の前記下端と前記後壁の前記下端とを相互接続している底部壁であって、前記前壁は、前記前壁アパーチュアの前記外側周辺端縁から内方向に間隔を置いて位置する内側周辺端縁により形成されているアパーチュアを含み、前記内側周辺端縁のうちの１つ以上が、前記前壁の前記上端と前記下端との間で延びる溝を有し、前記溝は、前記ディスペンサーパッケージの一部分を捕捉できるようになっている底部壁と
を含むディスペンサーパッケージのためのホルダ。
【請求項１６】
前記ホルダの前記前壁と前記後壁との間で延びる１つ以上の側壁をさらに備えている請求項１５に記載のホルダ。
【請求項１７】
前記ホルダに取付けられているクリップをさらに備えている請求項１５に記載のホルダ。
【請求項１８】
前記ホルダに熱を伝える加熱エレメントをさらに備えている請求項１５に記載のホルダ。
【請求項１９】
前壁と、後壁と、前記前壁の下端と前記後壁の下端とを相互接続している底部壁とであって、前記ディスペンサーパッケージを受入れる受入れ領域を形成し、前記前壁は、前記前壁の内側周辺端縁により形成されているアパーチュアを含む前壁、後壁および底部壁と、
前記前壁、前記後壁および前記底部壁のうちの少なくとも１つに熱を伝える加熱エレメントと、
前記前壁アパーチュアの前記内側周辺端縁に設けられ、前記加熱エレメントとつながっており、前記加熱エレメントを作動する第１の位置と前記加熱エレメントを非作動にする第２の位置との間で動作可能である少なくとも１つのアクチュエータと
を含み、かつ外周部を有する再密封可能キャップ組立体を有するディスペンサーパッケージのためのホルダ。
【請求項２０】
前記再密封可能キャップ組立体の外側周辺表面を、前記前壁アパーチュアの前記内側周辺端縁と係合させ、これによって前記ディスペンサーパッケージを前記ホルダに固定することが可能である請求項１９に記載のホルダ。
【請求項２１】
前記再密封可能キャップ組立体の前記外周部を前記少なくとも１つのアクチュエータと係合させ、これによって前記少なくとも１つのアクチュエータを前記第１の位置に動かして、前記加熱エレメントを作動することが可能である請求項１９に記載のホルダ。
【発明の詳細な説明】
【０００１】
［技術分野］
本発明は、一般に、シート、タオル、小さなペーパータオル、ティッシュペーパー、ナプキンあるいはふき取り用紙あるいは布を保持するディスペンサーパッケージに関し、特に、このようなディスペンサーパッケージを固定するのに用いるホルダに関する。
【０００２】
［背景技術］
シート、タオル、小さなペーパータオル、ティッシュペーパー、ナプキン、および拭き取り用紙あるいは布などの製品は、個人により個人的な衛生のためにしばしば使用される。このような製品のための好適なパッケージおよび／またはディスペンサーを得るために多大の努力が払われた。例えば、米国特許第２２７８０１１号、米国特許第２５６４９９７号、米国特許第５０６５９７０号および米国特許第５３３２１３８号は、すべて、自動車のサンバイザーに固定できるティッシュペーパー容器を開示している。米国特許第２８１８３１８号は、テーブルの端縁に取付け可能なティッシュペーパーホルダを開示し、米国特許第３８２６４０７号は、個人の手首に取付けることのできるティッシュペーパーディスペンサーを開示している。
【０００３】
多くの例において、個人は、個人的な衛生、化粧、家事での洗浄などのために湿ったティッシュペーパーあるいは小さなペーパータオルを使用したいと思うであろう。この需要に応じて、様々な湿気不浸透性(moisture-impermeable)パッケージが湿気含浸製品(moisture-impregnated item)を貯蔵するために開発された。米国特許第３７８０９０８号、米国特許第３８３６０４４号および米国特許第３８４１４６６号はこのようなパッケージを開示している。しかしながら、前述の特許明細書に開示されているパッケージは、湿気含浸タオルを詰込むと嵩張る。その結果、これらのパッケージは、サンバイザーあるいはテーブルの端縁などの対象物に取付けるのが容易でない。
【０００４】
前述の問題を考えて、多大の努力が、ユーザフレンドリなディスペンサーパッケージを得るために払われた。例えば、引用することにより本明細書の一部を成すものとする、一緒に譲渡された米国特許第４１５６４９３号および米国特許第４１８５７５４号は、再閉鎖可能カバーを有する気密パッケージを教示している。ある特定の好ましい実施形態では、カバーは、１つ以上の湿気含浸タオルを取出すために開き、次いで、残りのタオルを湿った状態に維持するために再び閉じることが可能である。パッケージは、通常、ビニルあるいはフォイルなどの可撓性材料から成る１つ以上のシートから成る。その結果、パッケージは、タオルを取出す際に崩れやすい。
【０００５】
多くの例において、米国特許第４１５６４９３号および米国特許第４１８５７５４号に開示されているパッケージは、ホルダ内に保持されている。これらのパッケージをホルダに入れると、ホルダはパッケージの可撓性材料部分に力を加えるので、湿ったタオルを取出しづらくなる。加えて、タオルをパッケージから取出すと、パッケージはホルダから落下して出たり、および／またはホルダ内の分配(dispensing)開口部から動き去ることもある。これによって、パッケージ内の残りのタオルに接近するのが非常に困難となる。
【０００６】
このようにして、ディスペンサーパッケージのためのホルダが、確実にパッケージを固定し、かつ、ディスペンサーパッケージに詰込まれているタオルをディスペンサーパッケージから容易に分配できるようなものであることが求められている。ホルダが、ホルダに対するディスペンサーパッケージの位置を適所に維持して、タオルがパッケージから使い尽くされることも求められている。ホルダの設計が、空になったディスペンサーパッケージを再充填用パッケージと交換するのを容易にすることも求められている。
【０００７】
［発明の概要］
本発明のある特定の好ましい実施形態では、組合せ体が、ディスペンサーパッケージと、ディスペンサーパッケージを固定するホルダとを含む。ディスペンサーパッケージは、好ましくは、ディスペンサーパッケージに詰込まれているタオルをすべて取出した場合に交換が可能であり、再充填用パッケージをホルダに固定できるようになっている。ホルダは、テーブルの上面などの表面上にディスペンサーパッケージを保持できる独立形製品(stand alone item)を含むこともある。別の実施形態では、ホルダは、自動車のサンバイザー、テーブル、あるいは乳幼児用の椅子の端縁などに固定できる。さらに別の実施形態では、ホルダは、個人が着服するベルトあるいはエプロンに固定できる。例えば、ねじ、釘あるいは吸着カップなどの１つ以上の固着具を用いて、ホルダを壁あるいはテーブル上面に恒久的に固定することも可能である。
【０００８】
好ましくは、ディスペンサーパッケージは１つ以上のシートから成り、シートは可撓性材料から成り、可撓性材料には、例えばビニルフィルム、フォイルあるいは、気密容器を得るために恒久的に密封できる任意のその他の可撓性材料などが使用される。望ましくは、可撓性材料を通過して開口部が延びている。好ましくは、開口部は、ディスペンサーパッケージを形成する前に形成する。好ましくは、開口部のサイズおよび形状は、１つ以上の製品、例えば湿ったタオルなどをパッケージから分配するのに十分なものである。ディスペンサーパッケージが崩れる現象が、タオルをパッケージから分配する際に生じることがある。パッケージは、好ましくは、ナプキン、シート、ティッシュペーパー、ふき取り用紙あるいは布、タオルおよび／または小さなペーパータオル（以下、「タオル）と総称）を保持できるようになっている。タオルは、好ましくは、互いに絡みあって重なっており、これによって、第１のタオルをパッケージから取出すと、第２のすなわち後続のタオルの前縁がパッケージ開口部を通って引出される。前述のように、ディスペンサーパッケージは、好ましくは、気密にされ、これによって、パッケージに貯蔵されているタオルを湿った状態に維持できるようになっている。
【０００９】
再密封可能キャップ組立体(resealable cap assembly)は、可撓性材料内の開口部をカバーできる。再密封可能キャップは、望ましくは、パッケージ内に湿気を封じ込めて、タオルの湿った状態を維持する。再密封可能キャップは、好ましくは、パッケージ開口部を通過して突出する任意のタオルの前縁の湿った状態も維持する。再密封可能キャップ組立体は、望ましくは、可撓性材料の外面および／または内面に取付けられている。ある特定の好ましい実施形態では、再密封可能キャップ組立体は、パッケージ内の開口部を包囲するカラーを含む。カラーは、可撓性材料の外面および／または内面に取付けられていることもある。カラーは、可撓性材料の外層と内層との間に挟まれていることもある。カラーの取付けは、超音波シール、熱シール、膠、エポキシ例えば高温溶融エポキシあるいは接着剤を用いて行うことも可能である。再密封可能キャップ組立体は、カラーから上方へ突出しかつディスペンサーパッケージから遠ざかるように突出している密封フランジを含むこともある。密封フランジは、カラーと一体的に形成されていることもある。１つの好ましい実施形態では、密封フランジとカラーとは、一体的に成形されたプラスチックから成る単一部品を形成する。再密封可能キャップ組立体は、再閉鎖可能キャップを含むこともあり、該再閉鎖可能キャップは、密封フランジの上面と係合可能であり、これによって、パッケージ内の開口部を選択的に閉じることができ、ひいてはパッケージ内の湿気を封じ込めておくことができる。ある特定の実施形態では、再閉鎖可能キャップは、蝶番により密封フランジに接続されている。その結果、繰返し、再閉鎖可能キャップを開き、パッケージから１つ以上の製品を分配し、次いで再び閉じてパッケージ内に湿気を封じ込めておくことが可能である。再閉鎖可能キャップは、１つ以上の切欠部または把持エレメントが表面に設けられている外周部を有することもあり、これによって、キャップを係合させて、開放位置と閉鎖位置との間で動かすことが容易に行えるようになっている。１つの特に好ましい実施形態では、把持エレメントは、キャップの外周部を越えて延びる１つ以上の突出部を含む。
【００１０】
ホルダは、好ましくは、上端および下端を有する前壁と、上端および下端を有する後壁と、前壁の下端と後壁の下端との間で延びて該２つの下端を相互接続している底部壁とを含む。ある特定の好ましい実施形態では、ホルダは略Ｕ形である。前壁と後壁と底部壁とは、好ましくは、前述の可撓性ディスペンサーパッケージを受入れる受入れ領域を形成する。ホルダの寸法、特にパッケージ受入れ領域の寸法は、ホルダが受入れるパッケージの寸法に依存して変えることができる。ホルダは、望ましくは、開放端を有し、該開放端は、前壁の上端と後壁の上端とに隣接して位置し、ホルダの底部壁から遠くに位置する。
【００１１】
別の好ましい実施形態では、ホルダは、１つ以上の側壁も含み、各側壁は、ホルダの前壁と後壁との間で延びている。ホルダの該１つ以上の側壁は、ホルダの構造的一体性(structural integrity)を向上させ、かつディスペンサーパッケージの密封端部をカバーして密封端部が露出されないようにし得る。このようにして、該１つ以上の側壁は、望ましくは、ディスペンサーパッケージの密封端部をカバーおよび保護し、これによって、ディスペンサーパッケージとホルダとの組合せ体の美的外観を改善する。側壁は、ホルダの構造的一体性も改善する。
【００１２】
ホルダの前壁は、望ましくは、外周端縁と、外周端縁から内方向に間隔を置いて位置するアパーチュアとを有する。前壁アパーチュアは、好ましくは、前壁の外周端縁から内方へ間隔を置いて位置する前壁の内側周辺端縁により形成されている。
【００１３】
ある特定の好ましい実施形態では、ホルダを定置対象物に取付け、これによって、ただ１つの手で再閉鎖可能キャップを開き、パッケージから１つ以上のタオルを取出せるようになっている。ホルダを定置対象物に固定するのは、クリップを用いて行うことができ、該クリップは、ホルダに取付け可能であるか、またはホルダに一体的に接続されているものである。好ましくは、クリップをホルダの後壁に接続するのに、ホルダの前壁から遠くに位置する個所で行う。好ましくは、クリップによりホルダを端縁表面に固定でき、端縁表面には例えば自動車サンバイザーの端縁、テーブルの端縁、乳幼児用の椅子、作業ベルトおよび／またはエプロンなどがある。ホルダとクリップとの組合せ体は、略Ｓ形構造体を形成することもあり、この場合、クリップが有する開放端が、ホルダの開放端から背く方向(faces away)に向いて位置する。クリップはホルダから取外しできることもあり、これによって、異なるサイズを有する様々なクリップをホルダに取付けられるようになっている。ホルダに取付け可能なクリップの設計、スタイルあるいは形状を改変して、ホルダは、異なるタイプの表面あるいは構造体に取付けられるようにできる。例えば、下方へ向いて位置する開口部を有するクリップの代りに、右側開口部を有するクリップを用いることができる。異なるサイズを有するクリップは、ホルダに取付けられるようにもなっている。その結果、ホルダを改変して、異なるサイズを有するサンバイザー、テーブル、端縁表面などに取付けることができる。
【００１４】
操作中、ディスペンサーパッケージをホルダに固定することは、パッケージの主本体部分をホルダの前壁と後壁との間でスライドさせることにより可能である。好ましくは、再密封可能キャップ組立体の一部分を、前壁内のアパーチュアの中を通過させ、これによって、再密封可能キャップ組立体が、前壁アパーチュアの内側周辺端縁と係合するようにする。その結果、再密封可能キャップ組立体は、プレスばめ、スロット挿入溝を形成するか、または前壁アパーチュアの内側周辺端縁と摩擦係合を形成し、これによってディスペンサーパッケージをホルダに固定できるようになっている。
【００１５】
好ましくは、前壁アパーチュアの寸法は、該前壁アパーチュアと係合する再密封可能キャップ組立体の表面領域の寸法とほぼ同一である。その結果、再密封可能キャップが前壁アパーチュアの内側周辺端縁と係合するときに、再密封可能キャップ組立体が前壁アパーチュアに取付けられる。いったんディスペンサーパッケージをホルダに固定すると、再閉鎖可能キャップを開いて、パッケージから１つ以上のタオルを分配できるようになる。
【００１６】
本発明は、操作に関するいずれの特定の理論にも限定されないが、信じてよいと思われるのは、ディスペンサーパッケージをホルダに固定するのを、再密封可能キャップ組立体を前壁アパーチュアと係合させて行うと、ディスペンサーパッケージの可撓性材料がホルダにより圧縮されず、これによって、詰込まれた製品をディスペンサーパッケージから容易に分配するのが可能となることである。これは従来のホルダに対する改善である。すなわち従来のホルダは、通常、ディスペンサーパッケージの可撓性材料部分に挟む力を加え、これによってパッケージからタオルを分配するのがより困難となる。本発明は、ディスペンサーパッケージの開口部をホルダの開口部に当てて保持し、これによって、備えられたタオルを取出す際にパッケージが前壁アパーチュアから遠ざかるように動く現象が生じ難くなる。
【００１７】
ある特定の好ましい実施形態では、再密封可能キャップ組立体は、前壁アパーチュアの内側周辺端縁と係合可能な１つ以上の周辺端縁を持つ表面を有し、これによって、再密封可能キャップ組立体をホルダ固定できるようになっている。ホルダの該１つ以上の内側周辺端縁は、ホルダの前壁の上端と下端との間で延びる１つ以上の溝を有することもある。再密封可能キャップ組立体の周辺端縁は、好ましくは、前壁アパーチュアの溝内に捕捉されており、これによって、再密封可能キャップ組立体をホルダに固定できるようになっている。再密封可能キャップ組立体のカラーの内側面は、カラーの上端と下端との間で先細りしている。このように表面が先細りしていると、カラーの周辺端縁をスライドして、前壁アパーチュア内に形成されている溝に入り込ませるのが容易になる。キャップ組立体には、取付フランジを含むこともあり、該取付フランジは、カラーの横方向側面端縁の上方へ該横方向側面端縁を越えて突出している。カラーの周辺端縁の外面も、カラーの上面と底面との間で先細りしている。
【００１８】
ホルダが加熱装置に接続されていることもあり、該加熱装置は、ホルダの壁と、ホルダに固定されている任意のディスペンサーパッケージとを選択的に加熱する。作動されると、加熱装置は、ホルダの壁を加熱し、次いで、ディスペンサーパッケージ内のタオルを所望の温度（例えば体温）まで加熱する。
【００１９】
ホルダは、加熱装置を含むスタンドあるいは基台上に取付けられていることもある。基台は、好ましくは、１つ以上の加熱コイルを含み、該加熱コイルは作動されると熱を発生する。加熱コイルは、望ましくは、ホルダの前壁、後壁および／または底部壁に隣接する位置で延びている。その結果、作動された加熱コイルが発生する熱は、ホルダの壁により熱的に伝導される。次いで、ホルダの壁により伝導された熱は、ディスペンサーパッケージおよびその中に備えられているタオルへ伝えられる。
【００２０】
ある特定の好ましい実施形態では、前壁アパーチュアの内側周辺端縁は、該内側周辺端縁とつながっている１つ以上のアクチュエータを有する。１つ以上のアクチュエータは、好ましくは、第１の位置と第２の位置との間で移動できる。アクチュエータが第１の位置にある場合、信号が加熱装置に送られて、加熱コイルを作動する。アクチュエータが第２の位置にある場合、信号が加熱装置に送られて、加熱コイルを非作動にする。ある特定の好ましい実施形態では、ディスペンサーパッケージをホルダに固定すると、再密封可能キャップ組立体の外周部は、望ましくは、１つ以上のアクチュエータエレメントと係合して、加熱装置を作動する。加熱装置は、好ましくは、該加熱装置をオンオフし、該加熱装置の加熱レベルを制御する１つ以上の制御器を含む。１つの特に好ましい実施形態では、オンの位置、オフの位置、ローの位置、中間の位置、ハイの位置との間で動くことができる回転可能ノブが設けられている。
【００２１】
さらに別の実施形態では、ホルダの前壁アパーチュアの内側周辺端縁は、１つ以上の内方へ延びる突出部を含み、再密封可能キャップ組立体の外周部は、該内方へ延びる突出部を受入れるようにサイズおよび形状が決められた１つ以上の凹部を有する。キャップ組立体内の該１つ以上の凹部は、密封フランジの外周部内に設けられていることもある。ディスペンサーパッケージがホルダ内に固定されると、前壁アパーチュアの雄型端部突出部は、キャップ組立体の外周部上の凹部と噛合して、キャップ組立体をホルダに取付けて保持する。別の好ましい実施形態では、前壁アパーチュアの内側周辺端縁は、１つ以上の凹部を含むこともあり、キャップ組立体の外周部は、前壁アパーチュアの内側周辺端縁内の該１つ以上の凹部内に嵌まるようにサイズおよび寸法が決められた１つ以上の突出部を含むこともある。
【００２２】
さらに別の好ましい実施形態では、外周部を有する再密封可能キャップ組立体を有するディスペンサーパッケージのためのホルダは、前壁と、後壁と、前壁の下端と後壁の下端とを相互接続する底部壁とを含む。ホルダの前壁と後壁と底部壁とは、ディスペンサーパッケージを受入れる受入れ領域を形成する。前壁は、望ましくは、前壁の内側周辺端縁により形成されているアパーチュアを含む。ホルダは、前壁、後壁および／または底部壁のうちの少なくとも１つに熱を伝える加熱エレメントを含む。ホルダは、好ましくは、前壁アパーチュアの内側周辺端縁の個所に設けられかつ加熱エレメントとつながっている少なくとも１つのアクチュエータも含む。該少なくとも１つのアクチュエータは、加熱エレメントを作動するための第１の位置と、加熱エレメントを非作動にするための第２の位置との間を可動するものである。操作中、再密封可能キャップ組立体の外周部は、好ましくは、前壁アパーチュアの内側周辺端縁と係合可能であり、これによって、ディスペンサーパッケージをホルダに取付けるようになっている。キャップ組立体をホルダに固定すると、キャップ組立体の外周部は、少なくとも１つのアクチュエータと係合して、該少なくとも１つのアクチュエータを第１の位置へ動かして、加熱エレメントを作動する。
【００２３】
本発明のさらに別の好ましい実施形態では、ホルダの前壁は蝶番を含み、これによって、前壁を開放位置と閉鎖位置との間で回動させ得るようになっている。したがって、前壁を閉鎖位置から開放位置へ回動させて、ディスペンサーパッケージをホルダに入り込ませるおよび／またはディスペンサーパッケージをホルダから取出すようにできる。ディスペンサーパッケージをホルダに入り込ませると、前壁を回動させて、図３２に示す閉鎖位置に戻すことができるようになっている。図３３において、ある特定の好ましい実施形態では、ホルダは、弾性エレメント例えばばねなども含み、該弾性エレメントは前壁蝶番に隣接して位置し、該前壁蝶番により前壁は、通常、閉鎖位置に戻るように作用される。その結果、前壁が開放位置にある場合に、作業者が前壁を単に該作用から解放するだけで、前壁はスナップして閉鎖位置に戻る。
【００２４】
［発明を実施する最良の形態］
図１および図２は、本発明のある特定の好ましい実施形態による、ディスペンサーパッケージのためのホルダ２０を示す。ホルダ２０は、ディスペンサーパッケージを受入れるパッケージ受入れ領域２２と、ホルダを別のエレメント例えば表面の端縁、ベルトあるいはエプロンなどに固定するクリップ２４とを含む。ホルダ２０は、前壁２６と、後壁２８と、前壁２６の下端と後壁２８の下端とを相互接続する底部壁３０とを含む。前壁２６と後壁２８と底部壁３０とは、好ましくは、ホルダ２０のパッケージ受入れ領域２２を包囲している。図１において、前壁２６は、好ましくは、外側周辺端縁２７と、外側周辺端縁２７から内方への方向に間隔を置いて位置するアパーチュア３２とを含む。アパーチュア３２は、前壁２６の内側周辺端縁３４により形成され、内側周辺端縁３４は、外側周辺端縁２７から内方への方向に間隔を置いて位置する。ホルダ２０に取付けられているクリップ２４は、好ましくは、後壁２８の上端に一体的に接続されている。ある特定の好ましい実施形態では、ホルダ２０は、好ましくは略Ｓ形であり、これによって、パッケージ受入れ領域２２の開放端が、クリップ２４の開放端に向く方向に位置するようになっている。クリップ２４は、望ましくは、取付けガイド３６を含み、取付けガイド３６は、後壁２８に対して角度を成し、これによって、ホルダ２０を表面の端縁に取付けるのが容易になるようにできる。
【００２５】
図３Ａは、湿った製品例えばタオルのためのディスペンサーパッケージ４０を示す。ディスペンサーパッケージ４０は、望ましくは、可撓性材料から成る単一シート４２例えばビニルフィルム、フォイル、あるいは気密容器を得るように恒久的に密封できる任意のその他の材料などから形成されている。ディスペンサーパッケージ４０は、好ましくは、パッケージ４０の互いに対向する端部４１Ａ、４１Ｂの個所で密封されている。図３Ｂにおいて、開口部４３を形成する領域が可撓性材料から形成されており、この形成は、好ましくは、パッケージ４０を形成および密封する前に行う。開口部４３は、好ましくは、タオル４４を引張ってタオル４４が開口部４３を通過するのに十分なサイズおよび形状となっている。開口部４３は、湿ったタオルをパッケージ４０から分配することを可能にするかぎり、円形、卵形、スリットあるいは任意のその他の形状をとることができる。図３Ａおよび図４Ａにおいて、開口部４３は、好ましくは、再密封可能キャップ組立体４６によりカバーされている。再密封可能キャップ組立体４６はカラー４８を含み、カラー４８は、可撓性材料４２の外面５０に取付けられている。図３Ｂに示すように、カラー４８は、好ましくは、可撓性材料４２内の開口部を完全に包囲している。図４Ａにおいて、好ましくは、カラー４８を可撓性材料４２の外面５０に取付けるのに、超音波シール、加熱シール、膠シール、接着剤、あるいはエポキシ例えば高温溶融エポキシなどを用いて行われている。カラーと可撓性材料との間の取付部には弾性があり、これによって、パッケージがたわむ際にカラー４８が可撓性材料４２に対して湿気の密封を維持する。
【００２６】
図３Ｂおよび図４Ａにおいて、カラー４８は、好ましくは密封フランジ５２を含み、密封フランジ５２は、パッケージの外面５０から遠ざかるように突出し、かつカラー４８の上方へ突出している。キャップ組立体４６は、望ましくは再閉鎖可能キャップ５４を含み、再閉鎖可能キャップ５４を開いて、パッケージ４０の開口部４３でタオルに接近できるようになっている。図５において、キャップ５４は、蝶番（ヒンジ）５６により密封フランジ５２に接続されている。蝶番５６は、好ましくは、弾性エレメント例えばプラスチックなどを備え、該弾性エレメントによりキャップ５４は、繰返し開いたり閉じたりできるようになっている。図３Ｂ、図４Ａ、および図５において、密封フランジ５２は、好ましくは、外周部６２を有し、外周部６２は、カラー４８の外周部６４内に位置する。再密封可能キャップ５４が閉鎖位置にある場合、キャップ５４の下面５８は、好ましくは、密封フランジ５２の上面６０と係合する。
【００２７】
図４Ｂは、本発明の別の好ましい実施形態によるディスペンサーパッケージ４０’の断片の図であり、ディスペンサーパッケージ４０’は、外面５０’および内面５１’を有する可撓性材料４２’を備えている。可撓性材料４２’は開口部４３’を有し、開口部４３’は外面５０’と内面５１’との間で延びている。パッケージ開口部４３’は、カラー４８’と密封フランジ５２’と再閉鎖可能キャップ５４’とを含む再密封可能キャップ組立体４６’によりカバーされている。ディスペンサーパッケージ４０’は、好ましくは、湿ったタオル４４’が詰込まれ、湿ったタオル４４’は、好ましくは、互いに絡んで重ねられ、これによって、第１のタオル４４Ａ’をパッケージ開口部４３’から分配すると、パッケージ開口部４３’で次のタオル４４Ｂ’の前縁に接近できるようになっている。図４Ｂに示す１つの特定の実施形態では、カラー４８’は可撓性材料４２’の内面５１’に取付けられている。密封フランジ５２’はカラー４８’に一体的に接続され、カラー４８’から突出し、パッケージ開口部４３’を通過して突出している。
【００２８】
図６および図７は、図３Ａおよび図４Ａのディスペンサーパッケージ４０を示し、ディスペンサーパッケージ４０は、図１および図２のホルダ２０に固定されている。パッケージ４０をホルダ２０に固定するのは、好ましくは、再密封可能キャップ組立体４６をスライドして、ホルダ２０の前壁アパーチュア３２と係合させることにより行われる。パッケージ４０をスライドしてホルダ２０と係合させると、密封フランジ５２の外周部６２は、前壁アパーチュア３２の内側端縁３４と密接に係合し、これによって、ディスペンサーパッケージ４０をホルダ２０に固定することになる。
【００２９】
図８および図９に示す可撓性パッケージ４０は、パッケージ４０がホルダ２０に固定された後のものであり、密封フランジ５２の外周部６２は、前壁アパーチュア３２の内側端縁３４と密接に係合している。図９において、再閉鎖可能キャップ５４と密封フランジ５２の一部分とが、前壁２６内のアパーチュアを通って突出している。再閉鎖可能キャップ組立体４６のカラー４８は、前壁２６の内面と係合している。このようにして、可撓性ディスペンサーパッケージ４０をホルダ２０に固定するのは、好ましくは、密封フランジ５２の外周部６２を、前壁２６内のアパーチュアの内側端縁３４と係合させることにより行われる。ディスペンサーパッケージ４０のホルダへの固定が、キャップ組立体を前壁アパーチュアと係合させることにより行われるので、ディスペンサーパッケージ４０の可撓性材料は、ホルダ２０により挟まれない。加えて、タオルをディスペンサーパッケージ４０から取出す際に、パッケージが前壁アパーチュア３２から遠ざかるように動かないという利点が得られる。
【００３０】
図１０に示すディスペンサーパッケージ４０のためのホルダ１２０は、前述のホルダ２０と実質的に類似している。しかしながら、ホルダ１２０の前壁１２６は、中央アパーチュア１３２を含み、中央アパーチュア１３２の上端は、接続部品１３５により束縛されている。このようにして、前壁アパーチュア１３２は、図１に示す１つの好ましい実施形態で設けられているような開口部を、前壁アパーチュア１３２の上端に有しない。その結果、中央アパーチュア１３２の外側周辺全体が、前壁１２６の内側周辺端縁１３４により束縛されている。
【００３１】
図１１において、再密封可能キャップ組立体１４６の一部分を中央アパーチュア１３２に挿通することによりディスペンサーパッケージ１４０を図１０のホルダ１２０に固定することができる。ディスペンサーパッケージ１４０を適所に固定すると、密封フランジの外側周辺表面１６２が、好ましくは、前壁アパーチュア１２６の内側端縁１３４と係合する。
【００３２】
図１２および図１３が示す本発明のさらに別の１つの好ましい実施形態では、ディスペンサーパッケージのためのホルダ２２０は、１つ以上の内側周辺端縁２３４により形成されているアパーチュア２３２を有する前壁２２６を含む。前壁２２６の内側周辺端縁２３４は、アパーチュア２３２の中央領域に延びて入り込んでいる１つ以上の突出部２３５を含むこともある。図１３において、密封フランジ２５２の外周部２６２は、１つ以上の凹部２３７を含み、凹部２３７のサイズおよび形状は、突出部２３５を前壁アパーチュア２３２の周辺端縁で係合させるようになっている。その結果、ディスペンサーパッケージをホルダ２２０に固定すると、突出部２３５は密封フランジの凹部と噛み合い、これによって、再密封可能キャップ組立体をホルダに固定することになる。別の好ましい実施形態では、前壁アパーチュアの内側周辺端縁は、１つ以上の凹部を含んでおり、再閉鎖可能キャップ組立体の密封フランジの外周部が含む１つ以上の突出部は、前記凹部と密に噛み合うようにサイズ決めおよび形状決めされ、これによって、ディスペンサーパッケージをホルダに固定することになる。
【００３３】
図１４は、再密封可能キャップ組立体３４６の斜視図である。再密封可能キャップ組立体３４６は、好ましくは、密封されたディスペンサーパッケージ例えば前述のディスペンサーパッケージ内の開口部をカバーするものである。再密封可能キャップ組立体３４６は、好ましくは、上面３５１と、上面３５１から離れて底面３５３とを有するカラー３４８を含む。好ましくは、カラー３４８の底面３５３を可撓性パッケージの外面に取付けることが、例えば接着剤あるいはエポキシを用いて行われている。再密封可能キャップ組立体３４６は、上面３６０と外周部３６２とを有する密封フランジ３５２を含む。再密封可能キャップ組立体３４６は、密封フランジ３５２に蝶番により取付けられているキャップ３５４も含む。キャップ３５４の下端は、キャップ３５４を開いたり閉じたりするために係合可能な切欠部３５５を含む。
【００３４】
図１４および図１５において、再密封可能キャップ組立体３４６は、上端３５７と、下端３５９と、互いに対向する側面３６１Ａおよび３６１Ｂとを有する。互いに対向する側面３６１Ａおよび３６１Ｂは、それぞれ取付けフランジ３６３Ａおよび３６３Ｂを含み、取付けフランジ３６３Ａおよび３６３Ｂは、再密封可能キャップ組立体３４６の上端３５７と下端３５９との間で延びている。カラー３４８の側面３６１Ａおよび３６１Ｂは、カラー３４８の上端３５７から下端３５９まで先細りしている。ある特定の好ましい実施形態では、この側面は、約１〜３゜の角度αを成して先細りしている。
【００３５】
図１６は、カラー３４８の側面３６１Ｂの拡大図である。取付けフランジ３６３Ｂは、カラー３４８の端縁を越えて突出している。ある特定の好ましい実施形態では、フランジ３６３Ｂは、カラー３４８の端縁を越えて約３〜６ミリメートル突出している。フランジ３６３Ｂの外側端縁３６５Ｂは、好ましくは、約４〜６゜の角度βを成して先細りしている。
【００３６】
図１７は、本発明のさらなる好ましい実施形態によるディスペンサーパッケージのためのホルダ３２０を示す。ホルダ３２０は、好ましくは、弾性材料例えば重合体、プラスチック、あるいは金属から成る。ホルダ３２０は、前壁３２６と、後壁３２８と、前壁３２６の下端と後壁３２８の下端とを相互接続する底部壁３３０とを含む。前壁３２６は上端３２９および下端３３１を含む。前壁３２６は、外側周辺端縁３２７Ａおよび３２７Ｂも含む。前壁３２６内にはアパーチュア３３２が形成され、アパーチュア３３２は、外側周辺端縁３２７Ａ、３２７Ｂから内方に位置する。アパーチュア３３２は、外側周辺端縁３２７Ａ、３２７Ｂから内方に位置する内側周辺端縁３３４により形成されている。内側周辺端縁３３４は、好ましくは溝３３１を含み、溝３３１は、前壁３２６の上端３２９から下端３３１へ向かって延びている。溝３３１は、好ましくは、内側端縁３３４から外側周辺端縁３２７へ向かって延びている。溝は、好ましくは、内側端縁３３４から外側周辺端縁３２７へ向かって延びている。溝３３１は、略Ｕ形の基底部を有する。
【００３７】
図１４〜図１７において、再閉鎖可能キャップ組立体３４６をディスペンサーパッケージに固定した後、ディスペンサーパッケージをホルダ３２０に固定できる。ある特定の好ましい実施形態では、ディスペンサーパッケージをホルダ３２０に固定するのは、取付けフランジ３６１Ａ、３６１Ｂをスライドして、前壁３２６のアパーチュア３３２の溝３３１に入り込ませることにより行われる。ディスペンサーパッケージを適所に固定すると、密封フランジ３５２および再閉鎖可能キャップ３５４は、好ましくは、アパーチュア３３２を通過して延び、これによって、キャップ３５４を閉じたり開いたりするのが容易になる。
【００３８】
図１８は、本発明のさらなる好ましい実施形態による再密封可能キャップ組立体４４６を示す。再密封可能キャップ組立体４４６は、ディスペンサーパッケージの外面に取付け可能なカラー４４８を含む。再密封可能キャップ組立体４４６は、カラー４４８に一体的に接続されている密封フランジ４５２と、密封フランジ４５２が蝶番により接続されている再閉鎖可能キャップ４５４とをさらに含む。図１８、図２０および図２１において、再密封可能キャップ組立体４４６は、上端４５７と、下端４５９と、上端４５７と下端４５９との間で延びる側面４６１Ａ、４６１Ｂとを有する。図２０において、側面４６１Ａ、４６１Ｂは、好ましくは、キャップ組立体４５９の上端４５７から下端４５９まで約１〜３゜の角度αを成して先細りしている。
【００３９】
図２１において、好ましくは、カラー４４８の下面４５３をディスペンサーパッケージ４４０の外面４５０に接着するのは、例えば接着剤あるいはエポキシを用いて行われている。しかしながら、カラー４４８の最外側端縁４６３は、パッケージ４４０の外面４５０に接着されていない。その結果、間隙４６５が、端縁４６３と、パッケージ４４０の外面４５０とに隣接した位置に形成されることになる。カラー４４８の外側周辺端縁４６３は、好ましくは、約４〜６゜の角度β’を成して先細りしている。
【００４０】
図１８の再密封可能キャップ組立体４４６をディスペンサーの外面に取付けた後、ディスペンサーパッケージを図１９のホルダ４２０に固定するには、カラー４４８をスライドして、前壁アパーチュア４３２の溝４３３に入り込ませることにより行われる。再密封可能キャップ組立体を溝４３３に入り込ませて固定すると、密封フランジ４５２および再閉鎖可能キャップ４５４は、好ましくは、アパーチュア４３２を通過して延びている。その結果、再閉鎖可能キャップ４５４を繰返し開いたり閉じたりして、タオルをディスペンサーパッケージ内の開口部から分配できることになる。
【００４１】
図２２および図２３は、それぞれ図１７および図１９に示すホルダ３２０の後壁３２８、４２０の後壁４２８に取付けることができるクリップ４２４を示す。後壁４２８は、隆起部４７３を有するスロット４７１を含み、一体的に成形された延長部４２９を含む。クリップ４２４内にはアパーチュア４７５が形成され、アパーチュア４７５は、隆起部４７３を受入れるようにサイズ決めおよび形状決めがなされている。クリップ４２４を後壁４２８に取付けて組立てるには、クリップ４２４をスライドしてスロット４７１に入り込ませ、クリップ４２４の下端４７７がスロット４７１の下端４７９と係合し、隆起部４７３がアパーチュア４７５と係合するまで行われる。クリップ４２４は、好ましくは、弾性材料例えばプラスチックあるいは金属から成る。作業中、クリップ４２４の作用によりホルダ４２０を、表面例えばサンバイザー、テーブル上部、ベルトあるいはエプロンの端面に固定することが可能となる。
【００４２】
図２４および図２５は、ホルダと加熱組立体との組合せ体を含む、本発明のさらに別の１つの実施形態を示す。ホルダ５２０は、好ましくは、外側周辺端縁５２７を有する前壁５２６を含む。前壁はアパーチュア５３２を含み、アパーチュア５３２は、外側周辺端縁５２７から内方に位置する。アパーチュア５３２は内側周辺端縁５３４により形成され、内側周辺端縁５３４は、前壁の外側周辺端縁５２７から内方に位置する。前壁アパーチュア５３２の内側周辺端縁５３４は、好ましくは、少なくとも１つのアクチュエータエレメント５３５も含む。好ましくは、再閉鎖可能キャップ組立体をアパーチュア５３２に挿入するときに、アクチュエータエレメント５３５がディスペンサーパッケージの再閉鎖可能キャップ組立体の一部分と係合する。図２５において、ホルダ５２０は、好ましくは、後壁５２８と、後壁５２８の下端と前壁５２６の下端とを相互接続する底部壁５３０とをさらに含む。
【００４３】
図２４および図２５において、組合せ体は、好ましくは、１つ以上の加熱コイル５７２を有する基底部５７０も含む。ホルダ５２０を基底部５７０に取付けて、ホルダにおける１つ以上の壁が加熱コイル５７２の近くに位置するようにしている。図２５の１つの特定の実施形態では、第１の加熱コイル５７２Ａは、底部壁５３０とぴったりと係合して延び、第２の加熱コイル５７２Ｂは、ホルダ５２０の後壁５２８とぴったりと係合して延びている。基底部５７０は、好ましくは、制御エレメント５７４例えば回転可能ノブなどを含み、これによって、加熱装置を作動および非作動にし、加熱コイルが発生する熱量を調整することができるようになっている。好ましい実施形態では、加熱コイル５７２は、制御エレメント５７４を好みの温度のうちの１つに設定し、アクチュエータエレメント５３５が再閉鎖可能キャップ組立体により係合された後からでないと動作しない。可撓性ディスペンサーパッケージをホルダから取出すか、または制御エレメントをオフ位置に切換えると、加熱組立体は非作動になる。
【００４４】
図２６および図２７は、ホルダ６２０の本発明の別の１つの好ましい実施形態を示し、ホルダ６２０は、前壁６２６と、前壁アパーチュア６３２と、後壁６２８と、前壁６２６と後壁６２８との間で延びる１つ以上の側壁６２９とを有している。側壁６２９は、好ましくは、ホルダ６２０の端部を包囲し、パッケージの密封端部をカバーする。側壁は、図２４および図２５に関連して前述した加熱エレメントを含むこともある。ホルダ６２０には１つ以上の吸着カップ６７５が取付けられ、これによって、ホルダ６２０を表面に取付けることができる。図２７に示す１つの特に好ましい実施形態では、吸着カップ６７５は、ホルダ６２０の後壁６２８に取付けられている。別の実施形態では、吸着カップ６７５は、ホルダ６２０の任意の外面に取付けられている。
【００４５】
図２８および図２９が示す本発明のさらに別の１つの好ましい実施形態は、前壁アパーチュア７３２を有する前壁７２６と、後壁７２８と、前壁と後壁との間で延びる側壁７２９とを含む。好ましくは、後壁７２８が含む１つ以上の開口部７３１には、１つ以上の固着具７３３例えばねじを受入れるようにサイズ決めおよび形状決めがなされている。好ましくは、固着具７３３が後壁内の開口部を通過して、表面７３７例えば壁あるいはテーブルの上面に固定されるようにする。別の好ましい実施形態では、固着具用の開口部は、ホルダの側壁または底部壁を通過して延ばすこともできる。
【００４６】
図３０および図３１が示す本発明の別の１つの好ましい実施形態によるホルダ８２０では、前壁８２６が含む１つ以上の細長部材８９１は前壁８２６の内面８９３に取付けられている。各細長部材８９１が有する溝８９５またはスロットは、再密封可能キャップ組立体（図示せず）の端縁または突出フランジを受入れることができ、これによって、ディスペンサーパッケージをホルダ８２０に固定できることになる。細長部材８９１は、前壁８２６に取付けるか、または一体的に接続することができる。図示の１つの特定の実施形態では、互いに対向して位置する細長部材８９１Ａ、８９１Ｂが、前壁アパーチュア８３２を包囲する内側周辺端縁８３４に隣接して位置するように取付けられている。好ましくは、細長部材８９１Ａ、８９１Ｂの溝８９５は互いに対向して位置し、これによって、再密封可能キャップ組立体の外側端縁を受入れ得るようになっている。
【００４７】
図３２および図３３において、本発明の別の１つの好ましい実施例によるホルダ９２０は、前壁９２６に蝶番９２７を含み、これによって、前壁が開放位置と閉鎖位置との間で可動であるようになっており、これによって、ディスペンサーパッケージをホルダに入り込ませるおよび／またはディスペンサーパッケージをホルダから取出すことが容易になる。図３２が示すホルダ９２０の前壁９２６は、閉鎖位置にある。しかしながら、前壁９２６を、蝶番９２７を中心として回動させて、図３３に示す開放位置に到達させることができる。開放位置においては、ディスペンサーパッケージをホルダに容易に入り込ませることが可能である。ディスペンサーパッケージをホルダ９２０に入り込ませた後、前壁９２６を回動させて、図３２に示す閉鎖位置へ戻すことができる。図３３において、ある特定の好ましい実施形態では、ホルダにはさらに蝶番９２７に隣接して位置する弾性エレメント９２９を設け、蝶番９２７は、通常、前壁９２６が閉鎖位置に戻るように作用する。その結果、前壁が開放位置にある場合には作業者が単に前壁９２６を解放するだけで、前壁はスナップして閉鎖位置に戻ることになる。
【００４８】
本発明を、特定の好ましい実施形態を参照して説明したが、当然理解すべきは、前記実施形態は、本発明のある特定の原理および用途を説明しているにすぎないことである。したがって、当然理解すべきは、多数の変更を前記好ましい実施形態にすることができ、その他の配置機構を案出することが、クレームにより定義されている本発明の精神および範囲から逸脱せずに可能であるということである。
【００４９】
［工業的用途の可能性］
本発明は、クリーニング業界で工業的用途の可能性を有する。
【図面の簡単な説明】
【図１】  本発明のある特定の好ましい実施形態によるディスペンサーパッケージのためのホルダの正面図である。
【図２】  後壁に一体的に接続されているクリップを含むホルダであって、図１のホルダの右側面図である。
【図３】  Ａ，Ｂは、本発明のある特定の好ましい実施形態による再閉鎖可能カバーを含むディスペンサーパッケージの前面の立面図である。
【図４Ａ】  図３ＡのＩＶ−ＩＶ切断線に沿って切断して示す図３Ａのディスペンサーパッケージの横断面図である。
【図４Ｂ】  本発明のさらなる好ましい実施形態によるディスペンサーパッケージの断片の横断面図である。
【図５】  開放位置にある再閉鎖可能カバーを有する図３のディスペンサーパッケージの左側面図である。
【図６】  図１および図２のホルダに部分的に挿入された図３の可撓性ディスペンサーパッケージの図である。
【図７】  図６の断片を拡大して示す図である。
【図８】  図１のホルダに全体的に挿入されたディスペンサーパッケージを有する、図６の組立体の図である。
【図９】  図８のＩＸ−ＩＸ切断線に沿って切断して示す図８の右側面図である。
【図１０】  本発明のさらなる好ましい実施形態によるディスペンサーパッケージのためのホルダの前面の立面図である。
【図１１】  図１０のホルダに固定された図３の可撓性ディスペンサーパッケージの図である。
【図１２】  本発明のさらなる好ましい実施形態によるディスペンサーパッケージのためのホルダの図である。
【図１３】  密封フランジの外周部を含む可撓性ディスペンサーパッケージの断片の図である。
【図１４】  本発明のさらなる好ましい実施形態によるディスペンサーパッケージのための再密封可能キャップ組立体の斜視図である。
【図１５】  図１４に示す再密封可能キャップ組立体の正面図である。
【図１６】  図１５のＸＶＩ−ＸＶＩ線に沿って示す図１５の再密封可能キャップ組立体の断片の図である。
【図１７】  本発明のある特定の好ましい実施形態による図１４の再密封可能キャップ組立体のためのホルダの斜視図である。
【図１８】  本発明のさらに別の好ましい実施形態によるディスペンサーパッケージのための再密封可能キャップ組立体の斜視図である。
【図１９】  本発明のある特定の好ましい実施形態による図１８の再密封可能キャップ組立体のためのホルダの斜視図である。
【図２０】  図１８の再密封可能キャップ組立体の正面図である。
【図２１】  図２０のＸＸＩ−ＸＸＩ線に沿って示す図２０の再密封可能キャップ組立体の断片の図である。
【図２２】  本発明のある特定の好ましい実施形態による図１７および図１９に示すホルダのためのクリップの背面図である。
【図２３】  ホルダから取外された、図２２のクリップの斜視図である。
【図２４】  本発明のさらに別の好ましい実施形態によるディスペンサーパッケージのためのホルダおよび加熱装置の前面の立面図である。
【図２５】  図２４のＸＸＶ−ＸＸＶ線に沿って示す図２４のホルダの右側面図である。
【図２６】  本発明のさらに別の好ましい実施形態によるディスペンサーパッケージのためのホルダの前面の立面図である。
【図２７】  図２６のＸＸＶＩＩ−ＸＸＶＩＩ線に沿って示す図２６のホルダの上面図である。
【図２８】  本発明のさらに別の好ましい実施形態によるディスペンサーパッケージのためのホルダの前面の立面図である。
【図２９】  図２８のＸＸＩＸ−ＸＸＩＸ線に沿って示す図２８のホルダの上面図である。
【図３０】  本発明のさらなる好ましい実施形態によるホルダの上面図である。
【図３１】  図３０のＸＸＸＩ−ＸＸＸＩ切断線に沿って切断して示す図３０のホルダの断片の図である。
【図３２】  本発明のさらなる好ましい実施形態によるホルダの前面図である。
【図３３】  ホルダの前壁が開放位置へ回動された状態であって、図３２のＸＸＸＩＩＩ−ＸＸＸＩＩＩ線に沿って示す図３２のホルダの断片の側面図である。
【図１】
0004700885.tif 000002
【図２】
0004700885.tif 000003
【図３Ａ】
0004700885.tif 000004
【図４Ａ】
0004700885.tif 000005
【図３Ｂ】
0004700885.tif 000006
【図４Ｂ】
0004700885.tif 000007
【図５】
0004700885.tif 000008
【図６】
0004700885.tif 000009
【図７】
0004700885.tif 000010
【図８】
0004700885.tif 000011
【図９】
0004700885.tif 000012
【図１０】
0004700885.tif 000013
【図１１】
0004700885.tif 000014
【図１２】
0004700885.tif 000015
【図１３】
0004700885.tif 000016
【図１４】
0004700885.tif 000017
【図１５】
0004700885.tif 000018
【図１６】
0004700885.tif 000019
【図１７】
0004700885.tif 000020
【図１８】
0004700885.tif 000021
【図１９】
0004700885.tif 000022
【図２０】
0004700885.tif 000023
【図２１】
0004700885.tif 000024
【図２２】
0004700885.tif 000025
【図２３】
0004700885.tif 000026
【図２４】
0004700885.tif 000027
【図２５】
0004700885.tif 000028
【図２６】
0004700885.tif 000029
【図２７】
0004700885.tif 000030
【図２８】
0004700885.tif 000031
【図２９】
0004700885.tif 000032
【図３０】
0004700885.tif 000033
【図３１】
0004700885.tif 000034
【図３２】
0004700885.tif 000035
【図３３】
0004700885.tif 000036